(57)【要約】【課題】属性情報をより簡素化された手順で入力可能な生体情報モニタ装置を提供すること。【解決手段】ベッドサイドモニタ装置本体１０１のＣＰＵの制御によって、患者に関する属性の入力に用いられる属性設定画面の１つである入退床時設定画面に、敬称アイコンが設けられる。こうすることで、従来５０音アイコンおよび変換アイコンを用いて入力されていた敬称をワンタッチで簡単に入力できるので、患者属性情報の入力手順を簡素化することができる。さらに、敬称の設定に連動して、患者区分に、選択された敬称に対応した患者区分情報が自動設定される。こうすることで、患者区分の入力誤りを防止できる。このため、適切な判定閾値が設定されるので、警報などにより医療スタッフへの注意喚起を適切に行うことができる。すなわち、患者の容態管理の確実性を向上する生体情報モニタ装置を実現することができる。【選択図】図４
2010063486.tif 000002
【特許請求の範囲】
【請求項１】
生体情報の計測値データを表示する生体情報モニタ装置であって、
タッチパネル機能を有し、前記計測値データおよび各種の設定画面を表示する表示手段と、
前記表示手段の表示を制御する手段であって、患者に関する属性情報の入力に用いられる属性設定画面に、患者名に付される敬称に対応する敬称入力アイコンを表示させる制御手段と、
を具備する生体情報モニタ装置。
【請求項２】
前記制御手段は、前記敬称入力アイコンの選択に連動して、患者に関する属性である患者区分に、前記選択された敬称入力アイコンに対応する患者区分情報を設定する、
請求項１に記載の生体情報モニタ装置。
【請求項３】
前記各種の設定画面には病棟種別設定画面が含まれ、
前記制御手段は、前記病棟種別設定画面で選択された種別の病棟で用いられる敬称入力アイコンのみを選択可能な状態にして前記属性設定画面に表示させる、
請求項１に記載の生体情報モニタ装置。
【請求項４】
前記各種の設定画面には病棟種別設定画面が含まれ、
前記制御手段は、前記属性情報である患者区分情報のうち、前記病棟種別設定画面で選択された種別の病棟で用いられる患者区分情報に対応する患者区分入力アイコンのみを選択可能な状態にして前記属性設定画面に更に表示させる、
請求項１に記載の生体情報モニタ装置。
【発明の詳細な説明】
【技術分野】
【０００１】
本発明は、生体情報モニタ装置に関する。
【背景技術】
【０００２】
ベッドサイドモニタなどの生体情報モニタ装置は、患者から計測された心拍数や血圧、呼吸数などの生体情報の計測値および波形を画面に一括表示することができる（例えば特許文献１参照）。医療スタッフ（例えば医師や看護師）は、表示された情報を見ることで、患者の容体を把握することができる。また、生体情報モニタ装置は、それぞれの生体情報についての計測値を、対応する所定の閾値と比較し、その結果に応じた警報を表示したり警報を鳴らしたりすることができる。これにより、医療スタッフの注意を喚起することができるため、医療スタッフは、例えば患者の容体変化や生体情報計測エラーなどに対して迅速に対処することができる。  
【特許文献１】特開２００４−１９４９９６号公報
【発明の開示】
【発明が解決しようとする課題】
【０００３】
ところで、計測された生態情報は患者ごとに管理される。このため、入床時に患者の属性情報が生体情報モニタ装置に入力される。そして、その属性情報によっては、警報など医療スタッフへの注意喚起を行うか否かについての判定条件とリンクされているものもある。従って属性情報は可能な限り正確に入力される必要がある。
【０００４】
しかしながら、属性情報の入力作業自体が煩雑であり、属性情報の入力手順はできるだけ簡素化されることが望まれている。
【０００５】
本発明は、かかる点に鑑みてなされたものであり、属性情報をより簡素化された手順で入力可能な生体情報モニタ装置を提供することを目的とする。
【課題を解決するための手段】
【０００６】
本発明の生体情報モニタ装置は、生体情報の計測値データを表示する生体情報モニタ装置であって、タッチパネル機能を有し、前記計測値データおよび各種の設定画面を表示する表示手段と、前記表示手段の表示を制御する手段であって、患者に関する属性情報の入力に用いられる属性設定画面に、患者名に付される敬称に対応する敬称入力アイコンを表示させる制御手段と、を具備する構成を採る。
【発明の効果】
【０００７】
本発明によれば、属性情報をより簡素化された手順で入力可能な生体情報モニタ装置を提供することができる。
【発明を実施するための最良の形態】
【０００８】
以下、本発明の一実施の形態について図面を参照して詳細に説明する。
【０００９】
図１の生体情報モニタシステムは、病室、手術室または集中治療室において患者のそばに置かれたベッドサイドモニタ装置１００と、患者から離れた場所（例えばナースステーションなど）に置かれたセントラルモニタ装置１２０とからなる。ベッドサイドモニタ装置１００は、ベッドサイドモニタ装置本体１０１、マルチポートモジュール１０２、ベッドサイドモニタ表示部１０３、テレメータ送信機１０４、および生体情報センサ１０５を有する。セントラルモニタ装置１２０は、セントラルモニタ装置本体１２１、テレメータ受信機１２２およびセントラルモニタ表示部１２３を有する。なお、一般に、生体情報モニタシステムは、１台のセントラルモニタ装置１２０に対して複数台のベッドサイドモニタ装置１００を接続することができるが、本実施の形態では説明を簡単にするために１台のベッドサイドモニタ装置１００のみ開示する。
【００１０】
ベッドサイドモニタ装置本体１０１は、信号処理回路（ＣＰＵ）およびメモリを有し、メモリには、後で詳しく説明する設定画面の表示制御および設定手順をＣＰＵに実行させるためのプログラムおよびデータベースが予め記憶されている。また、ベッドサイドモニタ装置本体１０１は、後述するタッチパネルからの入力によりベッドサイドモニタ表示部１０３から通知された設定事項をメモリに記憶する。
【００１１】
ベッドサイドモニタ装置本体１０１には、マルチポートモジュール１０２、ベッドサイドモニタ表示部１０３およびテレメータ送信機１０４がそれぞれケーブルを介して接続されている。ベッドサイドモニタ装置本体１０１は、マルチポートモジュール１０２から取得された生体情報データを受信して、これをベッドサイドモニタ表示部１０３およびテレメータ送信機１０４に出力する。また、ベッドサイドモニタ装置本体１０１は、転送された生体情報データのうちの計測値データを予め設定された閾値と比較すると共に、転送された生体情報データのうちの波形データを分析して、それらの結果に応じた警報データを生成して、これを生体情報と一緒にベッドサイドモニタ表示部１０３およびテレメータ送信機１０４に出力する。また、上記比較の結果や上記分析の結果は、メモリに読み出し可能に記憶される。なお、上記比較結果や上記分析結果が何らかの異常を呈した場合に備えて、様々な異常に対する対処法についての情報なども、メモリに予め記憶されていることが好ましい。
【００１２】
テレメータ送信機１０４は、ベッドサイドモニタ装置本体１０１から入力された生体情報データおよび警報データをセントラルモニタ装置１２０に無線送信する。無線送信された生体情報データおよび警報データは、テレメータ受信機１２２を介してセントラルモニタ装置本体１２１により受信され、セントラルモニタ表示部１２３に表示される。なお、警報データは、セントラルモニタ表示部１２３に内蔵されたスピーカから音声として出力されてもよい。
【００１３】
表示手段としてのベッドサイドモニタ表示部１０３は、ユーザインタフェースとしてタッチパネル機能を有し、医療スタッフが画面に触れると画面上の接触位置に対応付けられた設定事項がベッドサイドモニタ装置本体１０１に通知される。なお、設定手順、および、設定画面の構成等については、後で詳しく説明する。
【００１４】
また、ベッドサイドモニタ表示部１０３は、ベッドサイドモニタ装置本体１０１から入力された生体情報データおよび警報データを画面に表示する。なお、警報データは、ベッドサイドモニタ表示部１０３に内蔵されたスピーカから音声として出力されてもよい。
【００１５】
マルチポートモジュール１０２には、生体情報センサ１０５が接続されている。生体情報センサ１０５は、例えば、患者の呼吸を検出する呼吸センサ、心電図のセンサ、血圧センサ、および体温センサなどのうち少なくとも１つから構成されている。図１では、生体情報センサ１０５として心電図のセンサが図示されている。
【００１６】
マルチポートモジュール１０２は、生体情報センサにより検出された値を表すアナログ信号に対して、増幅やＡ／Ｄ変換（アナログディジタル変換）などを含む信号処理を行うことにより、各種の生体情報を表すディジタルデータ（生体情報データ）を生成する。具体的には、心電図センサの検出信号からは、心電図データ（心電波形データを含む）、および心拍数データ（心拍数計測値データを含む）が得られる。呼吸センサの検出信号からは、呼吸数データ（呼吸波形データおよび呼吸数計測値データを含む）および呼吸圧データが得られる。マルチポートモジュール１０２は、これらの生体情報データをベッドサイドモニタ装置本体１０１に転送する。
【００１７】
次に、設定手順、および、設定画面の構成について説明する。
【００１８】
［入退床時の設定］
まず、図２の初期画面においてユーザが「メニュー」のアイコン２０１に触れると、図３に示すメニュー画面がベッドサイドモニタ表示部１０３に表示される。このメニュー画面において更に「入退床」のアイコン２０２に触れると、図４に示す入退床時設定画面が表示される。
【００１９】
この入退床時設定画面において、通常、まず患者名が５０音アイコンでひらがなを入力した後、「変換」アイコン又は「無変換」アイコンを使って入力される。そして、患者名の後ろに、敬称が付け加えられる。
【００２０】
ここで、図４に示す入退床時設定画面には、「様」、「くん」、「ちゃん」、「ベビー」といった病院で使用される敬称に対応する、敬称アイコン２０３が設けられている。こうすることで、従来５０音アイコンおよび変換アイコンを用いて入力されていた敬称を、ワンタッチで簡単に入力することができる。
【００２１】
そして、各敬称アイコン２０３は「患者区分」とリンクされている。すなわち、患者名の後ろに付け加えられる敬称と患者区分との間には対応関係が存在するため、敬称が１つ選択されると、これに対応する患者区分に自動的に設定される。すなわち、ベッドサイドモニタ装置本体１０１のＣＰＵは、敬称アイコン２０３の選択に連動して、患者に関する属性である患者区分に、選択された敬称入力アイコンに対応する患者区分情報を設定する。具体的には、「様」が選択されたときには患者区分は「成人」に自動設定され、「くん」「ちゃん」のときには「小児」に、「ベビー」のときには「新生児」に自動設定される。なお、新生児には名前がつけられていないケースが多いため、通常、母親の名前の後ろに「ベビー」という敬称をつけたものが、新生児の名前として用いられる。
【００２２】
ここで、警報データを生成するか否かを判断する際に用いられる上記閾値は、「患者区分」ごとに異なる。このため、ベッドサイドモニタ装置本体１０１のメモリには、閾値が「患者区分」ごとに記憶されている。
【００２３】
そして、敬称の入力に連動して患者区分が自動設定されると、ベッドサイドモニタ装置本体１０１のＣＰＵは、設定された患者区分にマッチする判定閾値をメモリから読み取り、この判定閾値を判定に用いる。なお、判定閾値は、生体情報センサ１０５の種別ごとに用意されている。
【００２４】
［病院設定］
メニュー画面において「セットアップ」アイコンに触れると、図５に示すセットアップメニュー画面が表示される。このセットアップメニュー画面において「プリセット」アイコン２０４に触れると、図６に示すプリセットメニュー画面が表示される。このプリセットメニュー画面において「病院設定」アイコン２０５に触れると、図７に示す病院設定画面が表示される。
【００２５】
この病院設定画面において「病棟選択」アイコン２０６に触れると、図８に示す病棟選択画面が表示される。図８に示すように病棟選択画面には、病棟種別ごとのアイコン（病棟種別アイコン）が設けられている。図８に示す病棟選択画面には、「成人病棟」、「小児病棟」、「新生児病棟」、「成人・小児病棟」の４つのアイコンが示されている。
【００２６】
通常、生体情報モニタシステムは１つの病棟で準固定的に使用されるので、病棟設定は生体情報モニタシステムの設定時に行われる。また、生態情報モニタシステムにおいてベッドサイドモニタ装置１００が増設される場合には、その時にベッドサイドモニタ装置１００で病棟設定が行われる。
【００２７】
ここで、各病棟アイコンを敬称とリンクさせることができる。すなわち、病棟種別と敬称との間には対応関係が存在するため、１つの病棟種別が選択されると、これに対応する敬称に自動設定されるようにすることができる。具体的には、「成人病棟」が選択された後に図４の入退床時設定画面が表示されると、「様」のアイコンのみが表示され、それ以外の「くん」、「ちゃん」、「ベビー」のアイコンは選択できない状態（つまり、非アクティブ状態、又は、グレイアウト状態）にされる。同様に、「小児病棟」が選択された場合には、「くん」、「ちゃん」のみが表示され、「新生児病棟」が選択された場合には、「ベビー」のみが表示され、「成人・小児病棟」が選択された場合には、「様」、「くん」、「ちゃん」が表示される。
【００２８】
なお、上記したとおり、敬称と患者区分との間には対応関係が存在するので、病棟種別が選択された時点で敬称候補が絞られ、これに応じて患者区分候補も自動的に絞られる。具体的には、「成人病棟」が選択されると、敬称は「様」に絞られ、患者区分は「成人」に絞られる。従って、「成人病棟」が選択された場合、患者区分を「成人」に自動設定することができる。この状態で入退床時設定画面を表示すると、患者区分アイコンに関しては、「成人」アイコンのみが表示され、他のアイコンは選択できない状態にされる。小児病棟および新生児病棟については１つの患者区分に候補が絞られるので、成人病棟の場合と変わるところがない。
【００２９】
ただし、成人・小児病棟の場合には、患者区分候補が１つに絞られない。そのため、「成人・小児病棟」が選択された場合には、「新生児」アイコンだけが選択できない状態にされ、「成人」アイコンおよび「小児」アイコンが表示される。この状態で、入退床時設定画面で敬称が選択されて初めて、この敬称に応じた１つの患者区分が自動設定されることになる。
【００３０】
以上のように本実施の形態によれば、ベッドサイドモニタ装置本体１０１のＣＰＵの制御によって、患者に関する属性の入力に用いられる属性設定画面の１つである入退床時設定画面に、敬称アイコンが設けられる。
【００３１】
こうすることで、従来５０音アイコンおよび変換アイコンを用いて入力されていた敬称をワンタッチで簡単に入力できるので、患者属性情報の入力手順を簡素化することができる。
【００３２】
また、敬称の設定に連動して、患者区分に、選択された敬称に対応した患者区分情報が自動設定される。
【００３３】
こうすることで、患者の容態管理の確実性を向上することができる。すなわち、上記した判定閾値は、患者区分ごとに異なっている。そのため、患者区分の入力誤りが、大きな事故に繋がり兼ねない。例えば、患者が新生児であるときに、患者区分が成人に設定されている場合、新生児にとっては容態が悪いことを示す計測値であっても、判定閾値が成人用に設定されているため、警報などを適切に発することができない可能性がある。因みに、従来、患者区分についてはデフォルトで「成人」に設定されているケースが多く、このような問題が発生しやすい設定状況となっている場合が多い。
【００３４】
しかしながら、敬称の設定に連動して、患者区分に、選択された敬称に対応した患者区分情報が自動設定されることにより、患者区分の入力誤りを防止できる。このため、適切な判定閾値が設定されるので、警報などにより医療スタッフへの注意喚起を適切に行うことができる。すなわち、患者の容態管理の確実性を向上する生体情報モニタ装置を実現することができる。
【００３５】
また、入退床時設定画面には、病棟種別設定画面で選択された種別の病棟で用いられる敬称アイコンのみが、選択可能な状態で表示される。
【００３６】
こうすることで、病棟種別によっては使われる可能性のない敬称アイコンを選択できない状態にできるので、敬称の入力ミスを防止することができる。この結果、敬称の入力と患者区分の設定とが連動している場合には、患者区分の入力ミスも防止できる。
【００３７】
また、入退床時設定画面には、属性情報である患者区分情報のうち、病棟種別設定画面で選択された種別の病棟で用いられる患者区分情報に対応する患者区分アイコンのみが、選択可能な状態で表示させる。
【００３８】
こうすることで、患者区分の入力ミスを防止することができる。
【００３９】
なお、上記説明では、患者区分アイコンと、患者名の入力に用いられる５０音アイコンおよび敬称アイコンとが、１画面（つまり、入退床時設定画面）に収められた態様とした。しかし、この態様に限定されるものではなく、入退床時設定画面から５０音アイコンおよび敬称アイコンを除き、入退床時設定画面（図９参照）の下の階層に患者名入力画面（図１０参照）を設け、この患者名入力画面に５０音アイコンおよび敬称アイコンを表示する態様としてもよい。この場合、入退床時設定画面には、患者名入力画面に切り換えるための、「患者名」アイコン２０７が設けられる。
【００４０】
また、本発明の生体情報モニタ装置は、ベッドサイドモニタ装置だけでなく、セントラルモニタ装置としても具現化することができる。
【００４１】
また、上記説明では、敬称の選択に連動して、患者区分に、選択された敬称に対応する患者区分情報が設定される態様について説明を行ったが、逆に、患者区分の選択に連動して、選択された患者区分に対応する敬称が自動入力される実施態様も実現可能である。ただし、「くん」、「ちゃん」に関しては、患者区分だけでは特定できないので、性別と合わせて判断して、敬称が自動入力される態様とすることができる。
【図面の簡単な説明】
【００４２】
【図１】本発明の一実施の形態に係る生体情報モニタシステムの構成を示す図
【図２】図１のベッドサイドモニタ表示部に表示される初期画面の表示形式の一例を示す図
【図３】図１のベッドサイドモニタ表示部に表示されるメニュー画面の表示形式の一例を示す図
【図４】図１のベッドサイドモニタ表示部に表示される入退床時設定画面の表示形式の一例を示す図
【図５】図１のベッドサイドモニタ表示部に表示されるセットアップメニュー画面の表示形式の一例を示す図
【図６】図１のベッドサイドモニタ表示部に表示されるプリセットメニュー画面の表示形式の一例を示す図
【図７】図１のベッドサイドモニタ表示部に表示される病院設定画面の表示形式の一例を示す図
【図８】図１のベッドサイドモニタ表示部に表示される病棟選択画面の表示形式の一例を示す図
【図９】図１のベッドサイドモニタ表示部に表示される入退床時設定画面の表示形式の他の例を示す図
【図１０】図１のベッドサイドモニタ表示部に表示される患者名入力画面の表示形式の一例を示す図
【符号の説明】
【００４３】
１００  ベッドサイドモニタ装置
１０１  ベッドサイドモニタ装置本体
１０２  マルチポートモジュール
１０３  ベッドサイドモニタ表示部
１０４  テレメータ送信機
１０５  生体情報センサ
１２０  セントラルモニタ装置
１２１  セントラルモニタ装置本体
１２２  テレメータ受信機
１２３  セントラルモニタ表示部
【図１】
2010063486.tif 000003
【図２】
2010063486.tif 000004
【図３】
2010063486.tif 000005
【図４】
2010063486.tif 000006
【図５】
2010063486.tif 000007
【図６】
2010063486.tif 000008
【図７】
2010063486.tif 000009
【図８】
2010063486.tif 000010
【図９】
2010063486.tif 000011
【図１０】
2010063486.tif 000012